(57)【要約】【課題】横スリットにて分断された上方側躯体部分と下方側躯体部分との相対移動による建具枠の変形を適切に抑制し、その建具枠の変形による建具枠や建具の破損を回避できながら、施工の容易化を図り、生産性を向上させることができる建具枠取付構造を提供する。【解決手段】横スリットＳｈにて横断された躯体部分１に建具枠１０を取り付ける建具枠取付構造であって、横スリットＳｈの上方側に位置する上方側躯体部分１Ａに対して、移動不能な状態で建具枠１０を取り付ける上方側取付構造部２０と、横スリットＳｈの下方側に位置する下方側躯体部分１Ｂに対して、横方向Ｘに沿ってスライド移動可能な状態で建具枠１０の荷重を支持させる下方側支持構造部３０と、を備えて構成されている。【選択図】図２
2019002252.tif 000002
【特許請求の範囲】
【請求項１】
横スリットにて横断された躯体部分に建具枠を取り付ける建具枠取付構造であって、
前記横スリットの上方側に位置する上方側躯体部分に対して、移動不能な状態で前記建具枠を取り付ける上方側取付構造部と、
前記横スリットの下方側に位置する下方側躯体部分に対して、横方向に沿ってスライド移動可能な状態で前記建具枠の荷重を支持させる下方側支持構造部と、を備えて構成されている建具枠取付構造。
【請求項２】
前記下方側支持構造部は、前記建具枠の下端部を滑動自在に支持する滑り支承を備えて構成されている請求項１記載の建具枠取付構造。
【請求項３】
前記下方側支持構造部は、前記建具枠の下端部の見付け方向に沿うスライド移動は許容する状態で前記建具枠の下端部の見込み方向に沿うスライド移動を規制する見込み方向移動規制部を備えて構成されている請求項１又は２記載の建具枠取付構造。
【請求項４】
前記下方側支持構造部は、前記建具枠の下枠から下方側に延在し、前記建具枠の下枠と前記下方側躯体部分との境界部位を跨ぐ境界カバーを備えて構成され、
前記境界カバーの下端縁と前記下方側躯体部分との間、及び、前記境界カバーの左右の両端縁と前記下方側躯体部分との間の各々にシール材充填空間が形成され、
前記シール材充填空間に弾性シール材が充填されている請求項１〜３のいずれか１項に記載の建具枠取付構造。
【請求項５】
前記境界カバーの内面には、前記シール材充填空間に充填される前記弾性シール材を受け止め可能なシール材受け止め片が突出形成されている請求項４記載の建具枠取付構造。
【発明の詳細な説明】
【技術分野】
【０００１】
本発明は、耐震スリット等の横スリットにて横断された躯体部分に建具枠を取り付ける建具枠取付構造に関する。
【背景技術】
【０００２】
鉄筋コンクリート構造等の建物では、柱と壁との間に縦スリットを形成したり、梁と壁との間に横スリットを形成することで、耐震性の低下を招く柱や梁の短尺化を回避することが日常的に行われている。
このような建物において、横スリットにて横断された躯体部分に建具枠を取り付けることがあるが、その場合、地震時等において、横スリットの下方側に位置する下方側躯体部分と、横スリットの上方側に位置する上方側躯体部分とが相対移動することを考慮する必要がある。
【０００３】
そこで、従来、このように横スリットにて横断された躯体部分に建具枠を取り付ける場合には、下方側躯体部分に対して、モルタル等を用いた汎用の湿式工法により移動不能な状態で建具枠を取り付けて建具枠の荷重を下方側躯体部分に支持させ、他方、上方側躯体部分に対して、上述した汎用の湿式工法とは異なる乾式工法により横方向に沿ってスライド移動可能な状態で建具枠を取り付ける建具枠取付構造を採用していた。
【０００４】
この建具枠取付構造は、地震時等において、横スリットにて分断された上方側躯体部分と下方側躯体部分とが相対移動しても、その相対移動に対応して、下方側躯体部分に対して移動不能に取り付けられた建具枠が、上方側躯体部分に対して横方向に沿ってスライド移動することで、建具枠が変形するのを抑制することができ、建具枠の変形による建具枠や建具の破損を回避することができる。
【０００５】
なお、横スリットにて横断された躯体部分に対する建具枠取付構造ではないが、建具枠に取り付けた建具が地震時に破壊するのを回避するために、地震時の躯体部分の変形を吸収するスプリング等の弾性部材を建具枠の外周枠と内周枠との間に介在させる技術は公知である（例えば、特許文献１、２参照）。
【先行技術文献】
【特許文献】
【０００６】
【特許文献１】特開２００１−０３２６４４号公報
【特許文献２】特開２００２−１０６０６４号公報
【発明の概要】
【発明が解決しようとする課題】
【０００７】
ところが、耐震スリット等の横スリットは一般的に建具枠の下端ラインに配置される場合が多いことから、上方側躯体部分に対してスライド移動可能な状態で、建具枠を下方側躯体部分に対して移動不能に取り付ける上記従来の技術では、建具枠の上枠（上辺）と左右の縦枠（左右の側辺）という建具枠の多くの辺を、汎用の湿式工法とは異なる乾式工法により上方側躯体部分に対してスライド移動可能に取り付ける非常に複雑な納まりとなる。よって、施工が難しく、確実な変位追従性の確保も困難な上、生産性が低いという問題があった。
【０００８】
この実情に鑑み、本発明の主たる課題は、横スリットにて分断された上方側躯体部分と下方側躯体部分との相対移動による建具枠の変形を適切に抑制し、その建具枠の変形による建具枠や建具の破損を回避できながら、施工の容易化を図り、生産性を向上させることができる建具枠取付構造を提供する点にある。
【課題を解決するための手段】
【０００９】
本発明の第１特徴構成は、横スリットにて横断された躯体部分に建具枠を取り付ける建具枠取付構造であって、
前記横スリットの上方側に位置する上方側躯体部分に対して、移動不能な状態で前記建具枠を取り付ける上方側取付構造部と、
前記横スリットの下方側に位置する下方側躯体部分に対して、横方向に沿ってスライド移動可能な状態で前記建具枠の荷重を支持させる下方側支持構造部と、を備えて構成されている点にある。
【００１０】
本構成によれば、下方側支持構造部により、下方側躯体部分に対して横方向に沿ってスライド移動可能な状態で建具枠の荷重を支持させるので、地震時等において、横スリットにて分断された上方側躯体部分と下方側躯体部分とが相対移動しても、その相対移動に対応して、上方側取付構造部にて上方側躯体部分に対して移動不能に取り付けられた建具枠が、下方側躯体部分に対して荷重を支持された状態のままで横方向に沿ってスライド移動することができる。よって、横スリットにて分断された上方側躯体部分と下方側躯体部分との相対移動による建具枠の変形を適切に抑制し、その建具枠の変形による建具枠や建具の破損を回避することができる。
【００１１】
しかも、耐震スリット等の横スリットは一般的に建具枠の下端ラインに配置される場合が多いことに対して、上方側躯体部分に対して移動不能な状態で建具枠を取り付けるので、建具枠の上枠（上辺）と左右の縦枠（左右の側辺）という建具枠の大部分を汎用の湿式工法にて取り付けることが可能となり、確実な変位追従性を確保しながら、納まりを単純化することができる。よって、施工の容易化を図り、生産性を向上させることができる。
【００１２】
本発明の第２特徴構成は、前記下方側支持構造部は、前記建具枠の下端部を滑動自在に支持する滑り支承を備えて構成されている点にある。
【００１３】
本構成によれば、滑り支承による滑り抵抗の低減作用により、下方側躯体部分に荷重を支持された状態のままでの建具枠のスライド移動をスムーズにすることができる。よって、横スリットにて分断された上方側躯体部分と下方側躯体部分との相対移動による建具枠の変形を一層適切に抑制し、その建具枠の変形による建具枠や建具の破損を一層確実に回避することができる。
【００１４】
本発明の第３特徴構成は、前記下方側支持構造部は、前記建具枠の下端部の見付け方向に沿うスライド移動は許容する状態で前記建具枠の下端部の見込み方向に沿うスライド移動を規制する見込み方向移動規制部を備えて構成されている点にある。
【００１５】
本構成によれば、建具枠の下端部の見付け方向に沿うスライド移動は許容しながら、見込み方向移動規制部により建具枠の見込み方向に沿うスライド移動を規制し、建具枠の風圧力等への抵抗力を適切に確保することができる。
【００１６】
本発明の第４特徴構成は、前記下方側支持構造部は、前記建具枠の下枠から下方側に延在し、前記建具枠の下枠と前記下方側躯体部分との境界部位を覆う境界カバーを備えて構成され、
前記境界カバーの下端縁と前記下方側躯体部分との間、及び、前記境界カバーの左右の両端縁と前記下方側躯体部分との間の各々にシール材充填空間が形成され、
前記シール材充填空間に弾性シール材が充填されている点にある。
【００１７】
本構成によれば、建具枠の下枠と下方側躯体部分との境界部位を覆う境界カバー、及び、その境界カバー（下端縁、左右の両端縁）と下方側躯体部分との間のシール材充填空間に充填された弾性シール材により、建具枠の下枠と下方側躯体部分との境界部位から水が浸入するのを適切に防止することができる。また、上方側躯体部分と下方側躯体部分との相対移動等により弾性シール材が切れた場合でも、その弾性シール材の補修（打ち代え）を比較的容易に行うことができる。
【００１８】
本発明の第５特徴構成は、前記境界カバーの内面には、前記シール材充填空間に充填される前記弾性シール材を受け止め可能なシール材受け止め片が突出形成されている点にある。
【００１９】
本構成によれば、境界カバーの内面に突出形成された弾性シール材受け止め片に受け止めさせる状態で境界カバーの外周縁側から弾性シール材を充填することができるので、境界カバーの下端縁と下方側躯体部分との間のシール材充填空間、及び、境界カバーの左右の両端縁と前記下方側躯体部分との間のシール材充填空間への弾性シール材の充填作業を容易に行うことができる。
【図面の簡単な説明】
【００２０】
【図１】建具枠取付構造の構築箇所を示す図
【図２】建具枠取付構造の縦断面図
【図３】建具枠取付構造における下方側支持構造の分解図
【図４】図２のＩＶ−ＩＶ線断面図
【発明を実施するための形態】
【００２１】
本発明の建具枠取付構造の実施形態を図面に基づいて説明する。
図１は、鉄筋コンクリート構造の建物の躯体部分１における建具枠１０の取付部位を示している。同図では、左右一対の柱２と上下一対の梁３とで囲まれる矩形状の構面内に構築された外壁４（壁の一例）に、金属製等の建具枠１０が取り付けられている場合を例示している。
【００２２】
本実施形態では、建具枠１０は、上枠１１と下枠１２と左右の縦枠１３とを矩形状に組み付けて構成され、内側に矩形状の建具Ｔを保持可能となっている。矩形状の建具Ｔとしては、嵌め殺し窓や引き違い窓、開き戸等の各種のものがある。建具Ｔを保持する構造としては、例えば、図２に示すように、建具Ｔの外周縁部を、その周囲にガスケットＧを介在させる状態で建具枠１０の内側の凹溝１０Ａに嵌め込む等の構造を採用することができる。この場合、建具Ｔの下方に位置する凹溝１０Ａには、建具Ｔの荷重を支持する支持台１０ａ等が配置される。
【００２３】
図１に示すように、建具枠１０が取り付けられる外壁４は、耐震スリットＳ（図中の太一点鎖線部分）により左右一対の柱２及び下方側の梁３とは分離された状態で構築されている。当該耐震スリットＳは、左右一対の柱２と外壁４との間に位置する左右一対の縦スリットＳｖと、下方側の梁３と外壁４との間に位置して左右一対の縦スリットＳｖの下端部どうしを繋ぐ横スリットＳｈとからなる。なお、この図１では、横スリットＳｈを覆う状態で建具枠１０の下枠１２に取り付けられる外側境界カバー３２（図２参照）は省略している。
【００２４】
そして、横スリットＳｈにて横断された躯体部分１に建具枠１０を取り付ける建具枠取付構造は、横スリットＳｈの上方側に位置する上方側躯体部分１Ａに対して、移動不能な状態で建具枠１０を取り付ける上方側取付構造部２０と、横スリットＳｈの下方側に位置する下方側躯体部分１Ｂに対して、見付け方向Ｘ（柱梁架構の面内方向に沿う建物外周方向、横方向の一例）に沿ってスライド移動可能な状態で建具枠１０の荷重を支持させる下方側支持構造部３０とを備えて構成されている。なお、本実施形態では、横スリットＳｈが外壁４の下端部に位置するため、外壁４や上方側の梁３が上方側躯体部分１Ａに該当し、下方側の梁３やその上の床スラブ等が下方側躯体部分１Ｂに該当する。
【００２５】
よって、地震時等において、横スリットＳｈにて分断された上方側躯体部分１Ａと下方側躯体部分１Ｂとが相対移動しても、その相対移動に対応して、上方側取付構造部２０にて上方側躯体部分１Ａに対して移動不能に取り付けられた建具枠１０が、下方側躯体部分１Ｂに対して荷重を支持された状態のままで、上方側躯体部分１Ａに追従して見付け方向Ｘに沿ってスライド移動することができる。よって、上方側躯体部分１Ａと下方側躯体部分１Ｂとの相対移動による建具枠１０の変形を適切に抑制し、その建具枠１０の変形による建具枠１０や建具Ｔの破損を回避することができる。
以下、上方側取付構造部２０、及び、下方側支持構造部３０の具体的構成について説明を加える。
【００２６】
＜上方側取付構造部＞
図１に示すように、前記上方側取付構造部２０は、矩形状の建具枠１０を、上方側躯体部分１Ａに形成された下方開放の矩形状の開口部に配置して上方側躯体部分１Ａに埋め込む状態で、上方側躯体部分１Ａに対して移動不能に取り付けるように構成されている。
【００２７】
この上方側取付構造部２０は、上方側躯体部分１Ａに形成された矩形状の開口部の上端側開口縁に対して建具枠１０の上枠１１を移動不能に取り付ける第１取付構造部２０Ａと、前記矩形状の開口部の左右端側開口縁の各々に対して建具枠１０の左右の縦枠１３の各々を移動不能に取り付ける第２取付構造部２０Ｂとから構成されている。
【００２８】
図２に示すように、第１取付構造部２０Ａは、アンカー部材２１とモルタル等の硬化性充填材２２を用いた汎用の湿式構造にて構成されている。
図示の例では、第１取付構造部２０Ａは、上方側躯体部分１Ａにおける矩形状の開口部の上端側開口縁と建具枠１０の上枠１１（具体的には、上枠１１側の取付部材１１ａ）とにアンカー部材２１を亘らせ、更に、上方側躯体部分１Ａにおける矩形状の開口部の上端側開口縁と建具枠１０の上枠１１との間の隙間にモルタル等の硬化性充填材２２を充填して構成されている。
【００２９】
第２取付構造部２０Ｂも、図示は省略するが、第１取付構造部２０Ａと同様、アンカー部材とモルタル等の硬化性充填材を用いた汎用の湿式構造にて構成されている。
例えば、第２取付構造部２０Ｂは、上方側躯体部分１Ａにおける前記矩形状の開口部の左右端側開口縁と建具枠１０の縦枠１３とにアンカー部材を亘らせ、更に、矩形状の開口部の左右端側開口縁と建具枠１０の縦枠１３との間の隙間にモルタル等の硬化性充填材を充填して構成されている。
【００３０】
このように、この建具枠取付構造では、建具枠１０の上枠１１（上辺）と左右の縦枠１３（左右の側辺）という建具枠１０の大部分を汎用の湿式工法にて取り付けるので、確実な変位追従性を確保しながら、納まりを単純化することができる。よって、施工の容易化を図り、生産性を向上させることができる。
なお、第１取付構造部２０Ａ、及び、第２取付構造部２０Ｂの適所には、バックアップ材Ｂを適宜に介在させる状態で弾性シール材Ｊが充填されている。
【００３１】
＜下方側支持構造部＞
前記下方側支持構造部３０は、建具枠１０の下枠１２を、見付け方向Ｘに沿って滑動可能（スライド移動可能の一例）な状態で下方側躯体部分１Ｂの上面部に載置することで、下方側躯体部分１Ｂに対して、見付け方向Ｘに沿ってスライド移動可能な状態で建具枠１０の荷重を支持させるように構成されている。
【００３２】
下方側支持構造部３０は、図２、図３に示すように、建具枠１０の下枠１２（下端部に相当する）を滑動自在に支持する滑り支承３１と、建具枠１０の下枠１２から下方側且つ建物外方側に延在し、下枠１２と下方側躯体部分１Ｂとの境界部位（境界ラインＬ）を建物外方側から覆う外側境界カバー３２（境界カバーの一例）と、建具枠１０の下枠１２から下方側且つ建物内方側に延在し、下枠１２と下方側躯体部分１Ｂとの境界部位（境界ラインＬ）を建物内方側から覆う内側境界カバー３３（境界カバーの一例）と、を備えて構成されている。
【００３３】
そして、前記外側境界カバー３２の下端縁３２Ａと下方側躯体部分１Ｂとの間、及び、外側境界カバー３２の左右両端縁３２Ｂと下方側躯体部分１Ｂとの間の各々にシール材充填空間Ａが形成され、そのシール材充填空間Ａに弾性シール材Ｊが充填されている。このようにすることで、建具枠１０の下枠１２と下方側躯体部分１Ｂとの境界部位（境界ラインＬ）から水が浸入するのを適切に防止することができる。
また、内側境界カバー３３の下端縁３３Ａと下方側躯体部分１Ｂとで形成される角部Ｋにも弾性シール材Ｊが充填されている。
【００３４】
なお、弾性シール材Ｊは、バックアップ材Ｂを適宜に介在させる状態でシール材充填空間Ａや角部Ｋに充填されている。また、下方側躯体部分１Ｂの外面や内面には、内外装用の板材１ａ等が適宜に備えられている。
【００３５】
（滑り支承）
前記滑り支承３１は、下方側躯体部分１Ｂの上面部にアンカー部材等の固定手段で固定された金属製等の自重受け板３１Ａと、当該自重受け板３１Ａの少なくとも上面部に貼設されたフッ素樹脂製シート等の滑り材３１Ｂと、建具枠１０の下枠１２の下面にビス等の取付手段で取り付けられた滑り板３１Ｄとを備えており、自重受け板３１Ａと滑り板３１Ｄとの滑り抵抗を低減するように構成されている。
【００３６】
前記滑り板３１Ｄにおける見込み方向Ｚ（柱梁架構の面外方向に沿う建物内外方向）の両端部には、下向きに突出する見込み方向移動規制片３１ａ（見込み方向移動規制部の一例）が一体的に備えられている。また、これに対応して、滑り材３１Ｂは、自重受け板３１Ａの上面部から見込み方向Ｚの両端面に亘って配設されている。本実施形態では、見込み方向Ｚにおける一対の見込み方向移動規制片３１ａの間隔は、滑り材３１Ｂが配設されている自重受け板３１Ａの見込み方向Ｚの幅と同一又はそれよりも僅かに大に設定されている。
【００３７】
そのため、滑り支承３１は、建具枠１０の下枠１２と下方側躯体部分１Ｂとの見込み方向Ｚに沿う相対移動については、見込み方向移動規制片３１ａと自重受け板３１Ａとの接当により規制しながら、建具枠１０の下枠１２と下方側躯体部分１Ｂとを見付け方向Ｘに沿った相対移動をスムーズに許容することができる。
【００３８】
なお、本実施形態では、滑り支承３１は、下方側躯体部分１Ｂの上面部において、建具Ｔの直下位置となる建物内外方向の中央位置よりも建物内方側に寄せた位置に配置されている。
【００３９】
（外側境界カバー）
前記外側境界カバー３２は、図２、図３に示すように、建物外方側に配置され、建具枠１０の下枠１２と下方側躯体部分１Ｂとの境界部位（境界ラインＬ）を見付け方向Ｘの全幅に亘って建物外方側から覆うように構成されている。
【００４０】
具体的には、外側境界カバー３２は、見込み方向Ｚにおいて建具Ｔの略直下位置となる下枠１２の中央位置から下方側躯体部分１Ｂの外面を越える程度の幅で、見付け方向Ｘにおいて建具枠１０と同程度の幅に構成されている。
そして、外側境界カバー３２は、その縦断面形状が、見付け方向Ｘの全幅に亘って、建具枠１０の下枠１２の下端側から建物外方側に向かってやや外方下がりの傾斜姿勢で延びた後、下方側躯体部分１Ｂの外面に沿って下方側に縦姿勢で延びる略くの字状に構成されている。
【００４１】
また、この外側境界カバー３２の建物内方側の基端部には、上向きに突出する取付板部３２ａが備えられている。当該取付板部３２ａを、建具枠１０の下枠１２の下端側における建物外方側の端面にビス等の固定手段にて固定することで、外側境界カバー３２が建具枠１０に取り付けられている。
【００４２】
図２、図３に示すように、外側境界カバー３２の内面において、弾性シール材Ｊを充填するための所定寸法分だけ下端縁３２Ａから中央側に後退した部位には、下端縁３２Ａ側のシール材充填空間Ａに充填される弾性シール材Ｊを受け止め可能な第１シール材受け止め片３２ｂ（シール材受け止め部の一例）が立設されている。
第１シール材受け止め片３２ｂは、外側境界カバー３２の下端縁３２Ａに沿って略水平方向に連続する帯板状に構成されている。なお、図２、図３では、第１シール材受け止め片３２ｂが、バックアップ材Ｂを介在させる状態で弾性シール材Ｊを受け止める場合を例示している。
【００４３】
また、前記外側境界カバー３２の内面において、左右両端縁３２Ｂから弾性シール材Ｊを充填するための所定寸法分だけシール材充填空間分だけ中央側に後退した部位には、左右両端縁３２Ｂ側のシール材充填空間Ａに充填される弾性シール材Ｊを受け止め可能な第２シール材受け止め片３２ｃ（シール材受け止め部の一例）が立設されている。
第２シール材受け止め片３２ｃは、外側境界カバー３２の左右両端縁３２Ｂの各々に沿って略くの字状に連続する帯板状に構成されている。この第２シール材受け止め片３２ｃも、図２、図３では、バックアップ材Ｂを介在させる状態で弾性シール材Ｊを受け止める場合を例示している。
【００４４】
このように、外側境界カバー３２の内面に第１、第２シール材受け止め片３２ｂ、３２ｃを備えることにより、外側境界カバー３２の外縁側からシール材充填空間Ａに弾性シール材Ｊを充填するシール材充填作業において、第１、第２シール材受け止め片３２ｂ、３２ｃにてシール材充填空間Ａの奥側部位で弾性シール材Ｊを受け止めることができ、弾性シール材Ｊを適切且つ容易にシール材充填空間Ａに充填することができる。なお、これらの第１、第２シール材受け止め片３２ｂ、３２ｃは、場合によっては省略することができる。
【００４５】
（内側境界カバー）
前記内側境界カバー３３は、建物内方側に配置され、建具枠１０の下枠１２と下方側躯体部分１Ｂとの境界部位（境界ラインＬ）を建具枠１０の全幅に亘って建物内方側から覆うように構成されている。
【００４６】
具体的には、内側境界カバー３３は、見込み方向Ｚにおいて下枠１２の建物内方寄りの位置から下方側躯体部分１Ｂの内面を越える程度の幅で、見付け方向Ｘにおいて建具枠１０と同程度の幅に構成されている。
そして、内側境界カバー３３は、その縦断面形状が、見付け方向Ｘの全幅に亘って、建具枠１０の下枠１２の下端側から建物内方側に向かって略水平姿勢で延びた後、下方に向かって略鉛直姿勢で延び、その後、建物外方側に向かって下方側躯体部分１Ｂの内面近傍箇所まで略水平姿勢で延びる形状に構成されている。
この内側境界カバー３３の建物外方側の基端部には、下向きに突出する取付板部３３ａが備えられ、当該取付板部３３ａを建具枠１０の下枠１２の下端側にビス等の固定手段にて固定することで、内側境界カバー３３が建具枠１０に取り付けられている。
【００４７】
〔別実施形態〕
（１）前述の実施形態では、下方側支持構造部３０が、建具枠１０の下端部を滑動自在に支持する滑り支承３１を備えて構成されている場合を例に示したが、場合によっては、このような滑り支承を省略してもよい。また、下方側支持構造部３０は、滑り支承に代えて転がり支承等を備えて構成されていてもよい。
【００４８】
（２）前述の実施形態では、下方側支持構造部３０が、境界カバー３２，３３を備えて構成されている場合を例に示したが、設置環境などによっては境界カバー３２，３３の一方又は両方を省略してもよい。
【００４９】
（３）前述の実施形態では、下方側支持構造部は、建具枠１０の下端部の見付け方向Ｘに沿うスライド移動は許容する状態で建具枠１０の下端部の見込み方向Ｚに沿うスライド移動を規制する見込み方向移動規制部３１ａを備えて構成されている場合を例に示したが、場合によっては、見込み方向移動規制部３１ａを省略してもよい。
【００５０】
（４）前述の実施形態では、見込み方向Ｚにおける一対の見込み方向移動規制部３１ａの間隔が、滑り材３１Ｂが配設されている自重受け板３１Ａの見込み方向Ｚの幅と同一又はそれよりも僅かに大に設定されている場合を例に示したが、例えば、滑り材３１Ｂが配設されている自重受け板３１Ａの見込み方向Ｚの幅に、建具枠１０の脱落等の不具合が生じる虞のない設定寸法を追加した間隔に設定してもよい。
【符号の説明】
【００５１】
１        躯体部分
１Ａ      上方側躯体部分
１Ｂ      下方側躯体部分
１０      建具枠
２０      上方側取付構造部
３０      下方側支持構造部
３１      滑り支承
３１ａ    面外方向移動規制片
３２      外側境界カバー（境界カバー）
３２ｂ    第１シール材受け止め片（シール材受け止め部）
３２ｃ    第２シール材受け止め片（シール材受け止め部）
３３      内側境界カバー（境界カバー）
Ａ        シール材充填空間
Ｊ        弾性シール材
Ｓｈ      横スリット
Ｔ        建具
【図１】
2019002252.tif 000003
【図２】
2019002252.tif 000004
【図３】
2019002252.tif 000005
【図４】
2019002252.tif 000006